(57)【要約】肝臓のような器官の超音波エラストグラフィを実行するのに有用なシステムは、効率的かつ安定したデータ収集を可能にする。当該システムは、ヒトにおける肝臓のリアルタイムで非侵襲的な超音波撮像を行うために適用されることができる。定常状態のせん断波アブソリュートエラストグラフィは、肝臓組織のヤング率を測定するために用いられ得る。この方法は、外部励振器または振動器を用いて組織を振動させ、せん断波を生成することを含む。超音波トランスデューサの正確な配置は、せん断波による組織の動きの測定を容易にする。撮像される領域内の組織の剛性は、測定された組織の動きから計算することができる。以下のイノベーションは、正確で一貫した測定結果を得るために、適切な波の伝播を保証するいくつかの特定の方法と同様に、振動器およびトランスデューサの両方の配置に対処するものである。
2019519330.tif 000002
【特許請求の範囲】
【請求項１】
超音波エラストグラフィのための装置であって、
患者の背中の少なくとも一部を支持するように寸法決めされた概ね平らで剛性の患者接触部材、および前記患者接触部材の振動を駆動するように結合された少なくとも１つの励振器を含む外部振動器と、
超音波トランスデューサ、および前記超音波トランスデューサを駆動して超音波パルスを送信し、超音波エコー信号を受信するように動作する駆動回路を含む超音波撮像システムと、
前記超音波エコー信号を処理して、前記外部振動器によって生成されたせん断波に対応する動きを検出し測定するデータプロセッサと
を備える、装置。
【請求項２】
前記励振器は、前記患者接触部材に対して慣性反作用力を伝達するように前記患者接触部材に対して移動可能な質量体を含む、請求項１に記載の装置。
【請求項３】
前記質量体は、前記患者接触部材の面に実質的に平行な方向に移動可能である、請求項２に記載の装置。
【請求項４】
前記質量体は、不平衡ロータを含み、前記励振器は、前記ロータの回転を駆動するように接続されたモータを含む、請求項２に記載の装置。
【請求項５】
前記質量体は、カウンタウェイトを含み、前記励振器は、前記患者接触部材に対してカウンタウェイトを往復運動させるように接続されたアクチュエータを含む、請求項２に記載の装置。
【請求項６】
前記患者接触部材は、前記カウンタウェイトの往復運動の経路に平行な第１の方向において、前記カウンタウェイトの往復運動の経路を横切る第２の方向よりも広い、請求項５に記載の装置。
【請求項７】
前記患者接触部材は、前記第２の方向において３０ｃｍ以下の長さを有する、請求項１乃至６のいずれか一項に記載の装置。
【請求項８】
前記患者接触部材は、４０ｃｍから８０ｃｍの範囲内にある幅、および１０ｃｍから２０ｃｍの範囲内にある長さを有する、請求項１乃至７のいずれか一項に記載の装置。
【請求項９】
前記患者接触部材の上面に突出するカプラを備え、前記カプラは、患者の胸郭の対向する側面に係合可能である、請求項１乃至８のいずれか一項に記載の装置。
【請求項１０】
前記励振器は、前記カウンタウェイトが前記患者接触部材に対し往復動可能である方向のアライメントが調整可能となるように、前記患者接触部材に対して回転するように取り付けられている、請求項５乃至６のいずれか一項に記載の装置。
【請求項１１】
前記患者接触部材は、繊維強化プラスチックのシートを有する対向する面に面したコアを含む、請求項１乃至１０のいずれか一項に記載の装置。
【請求項１２】
前記患者接触部材の下面は、前記患者接触部材が揺動することができるように、湾曲部および中央に位置する支点部のうちの少なくとも一方で形成されている、請求項１乃至１１のいずれか一項に記載の装置。
【請求項１３】
前記質量体は、前記質量体の動きに起因する前記患者接触部材上の慣性力が前記患者接触部材の揺動を引き起こすように、前記患者接触部材の面に対して実質的に垂直な方向に移動可能である、請求項２乃至６のいずれか一項に記載の装置。
【請求項１４】
前記患者接触部材は、コンプライアント支持体上に支持されている、請求項１乃至１３のいずれか一項に記載の装置。
【請求項１５】
前記コンプライアント支持体は、１つまたは複数の枕、１つまたは複数の膨張可能なクッション、および１つまたは複数のバネのうちの少なくとも一つを含む、請求項１４に記載の装置。
【請求項１６】
前記少なくとも１つの励振器は、複数の励振器を含む、請求項１乃至１５のいずれか一項に記載の装置。
【請求項１７】
前記少なくとも１つの励振器は、可変周波数励振器を含む、請求項１乃至１６のいずれか一項に記載の装置。
【請求項１８】
前記可変周波数励振器は、４５Ｈｚから７０Ｈｚの範囲内の周波数を有する前記患者接触部材の振動を励振するように動作可能である、請求項１７に記載の装置。
【請求項１９】
前記患者接触部材に取り付けられた１つまたは複数の加速度計をさらに備える、請求項１乃至１８のいずれか一項に記載の装置。
【請求項２０】
前記患者接触部材に取り付けられたカメラをさらに備える、請求項１乃至１９のいずれか一項に記載の装置。
【請求項２１】
前記超音波トランスデューサは、前記超音波トランスデューサと前記患者との接触点を変更することなく前記超音波トランスデューサの撮像面の回転を可能にする遠隔の回転中心機構によって支持されている、請求項１乃至２０のいずれか一項に記載の装置。
【請求項２２】
前記遠隔の回転中心機構は、トランスデューサ支持体に結合された連結部を含む、請求項２１に記載の装置。
【請求項２３】
前記連結部は、平行四辺形の連結部を含む、請求項２２に記載の装置。
【請求項２４】
前記遠隔の回転中心機構の構成を固定するように動作可能なロックを備える、請求項２１乃至２３のいずれか一項に記載の装置。
【請求項２５】
前記トランスデューサは、前記超音波トランスデューサの撮像アレイの要素が配置されている面に略垂直に方向づけられた軸の周りで前記トランスデューサの回転を可能とするように取り付けられている、請求項１乃至２４のいずれか一項に記載の装置。
【請求項２６】
前記少なくとも１つの励振器は、センサからのフィードバック制御を用いて前記励振器によって生成される振動の周波数を制御するドライバによって駆動されている、請求項１乃至２５のいずれか一項に記載の装置。
【請求項２７】
前記超音波撮像システムの動作のタイミングは、前記外部振動器の振動に同期されている、請求項１乃至２６のいずれか一項に記載の装置。
【請求項２８】
前記超音波撮像システムは、超音波撮像システムクロックをさらに含み、前記少なくとも１つの励振器は、少なくとも１つの励振器クロックをさらに含み、前記超音波撮像システムクロックおよび前記少なくとも１つの励振器クロックは、同期されている、請求項１乃至２６のいずれか一項に記載の装置。
【請求項２９】
前記プロセッサは、超音波エコーデータを処理して、せん断波の見かけ上の波長を決定し、せん断波の見かけ上の波長を減少させるように前記外部振動器の１つまたは複数の動作パラメータを調整することによって、前記超音波トランスデューサによる撮像面に対するせん断波の方向を最適化するように構成されている、請求項１乃至２８のいずれか一項に記載の装置。
【請求項３０】
前記外部振動器の１つまたは複数の動作パラメータは、前記少なくとも１つの励振器のうちの１つまたは複数の励振器の動作周波数、前記少なくとも１つの励振器の第１および第２励振器の動作の相対位相、少なくとも１つの励振器のうちの１つまたは複数の励振器の動作の振幅、および少なくとも１つの励振器のうちの１つまたは複数の励振器の振動の方向のうちの１つまたは複数を含む、請求項２９に記載の装置。
【請求項３１】
前記プロセッサは、前記超音波トランスデューサの向きの各々についてのせん断波の見かけ上の波長を最小化するように前記超音波トランスデューサの向きが変更されると、前記外部振動器の１つまたは複数の動作パラメータをリアルタイムで制御するように構成されている、請求項２９乃至３０のいずれか一項に記載の装置。
【請求項３２】
前記プロセッサは、前記少なくとも１つの励振器のうちの複数の励振器の相対位相を制御して、前記せん断波の見かけ上の波長を最小化するように構成されている、請求項２９乃至３１のいずれか一項に記載の装置。
【請求項３３】
前記データプロセッサは、前記エコー信号を処理して関心ボリューム内に位置するせん断波ノードを識別し、ノードを移動または消滅させるように前記外部振動器の１つまたは複数の動作パラメータを制御するように構成されている、請求項１乃至３２のいずれか一項に記載の装置。
【請求項３４】
前記外部振動器の１つまたは複数の動作パラメータは、前記少なくとも１つの励振器のうちの１つまたは複数の励振器の動作周波数、前記少なくとも１つの励振器の第１および第２の励振器の動作の相対位相、少なくとも１つの励振器のうちの１つまたは複数の励振器の動作の振幅、および少なくとも１つの励振器のうちの１つまたは複数の励振器の振動の方向のうちの１つまたは複数を含む、請求項３３に記載の装置。
【請求項３５】
前記データプロセッサは、前記超音波エコー信号を処理して、最大の組織の動きが閾値を下回る関心領域内の所定のサイズおよび形状を有するノードボリュームを識別することによって、前記せん断波ノードを識別するように構成されている、請求項３３乃至３４のいずれか一項に記載の装置。
【請求項３６】
前記ノードボリュームは、球形である、請求項３５に記載の装置。
【請求項３７】
前記ノードボリュームは、１０ｍｍから２５ｍｍの範囲内の直径を有する、請求項３６に記載の装置。
【請求項３８】
前記超音波撮像システムは、前記超音波撮像システムがＢモード超音波画像を取得する標準超音波撮像モードと、前記超音波撮像システムがエラストグラフィ撮像のためのデータを取得する超音波エラストグラフィ撮像モードとの間で交互に動作するように構成されている、請求項１乃至３７のいずれか一項に記載の装置。
【請求項３９】
前記プロセッサは、測定された組織変位の品質評価値を計算し、前記品質評価値に少なくとも部分的に基づいて前記外部振動器の制御を行うように構成されている、請求項１乃至３８のいずれか一項に記載の装置。
【請求項４０】
前記品質評価値は、信号対雑音比を含む、請求項３９に記載の装置。
【請求項４１】
前記品質評価値を計算することは、せん断波の測定されたフェーザの大きさが下限閾値を上回り、上限閾値を下回るかどうかを判定することを含む、請求項３９に記載の装置。
【請求項４２】
前記品質評価値を計算することは、関心ボリューム内の点の近傍の組織変位の空間周波数を所定の範囲の空間周波数と比較することを含む、請求項３９に記載の装置。
【請求項４３】
前記品質評価値を計算することは、点における組織変位の時間的シーケンスが所定の波形パターンにどの程度適合するかの評価値を判定することを含む、請求項３９に記載の装置。
【請求項４４】
前記所定の波形パターンは、前記外部振動器の振動周波数に等しい周波数を有する正弦関数である、請求項４３に記載の装置。
【請求項４５】
超音波エラストグラフィのための装置であって、
部分的に剛性のベルト、および前記ベルトに結合された少なくとも１つの励振器を含む外部振動器と、
超音波トランスデューサ、および前記超音波トランスデューサを駆動して超音波パルスを送信し、超音波エコー信号を受信するように動作する駆動回路を含む超音波撮像システムと、
前記超音波エコー信号を処理して、前記外部振動器によって生成されたせん断波に対応する動きを検出して測定するように構成されたデータプロセッサと
を備える、装置。
【請求項４６】
前記少なくとも１つの励振器は、複数の励振器を含む、請求項４６に記載の装置。
【請求項４７】
超音波エラストグラフィのための装置であって、
３Ｄ超音波トランスデューサ、前記３Ｄ超音波トランスデューサを駆動して超音波パルスを送信し、超音波エコー信号を受信するように動作する駆動回路、および前記３Ｄ超音波トランスデューサに結合された少なくとも１つの励振器を含む超音波撮像システムと、
前記超音波エコー信号を処理して、前記少なくとも１つの励振器によって生成されたせん断波に対応する動きを検出して測定するように構成されたデータプロセッサと
を備える、装置。
【請求項４８】
前記少なくとも１つの励振器は、前記３Ｄ超音波トランスデューサのトランスデューサアレイを実質的に取り囲んでいる、請求項４７に記載の装置。
【請求項４９】
前記少なくとも１つの励振器は、前記３Ｄ超音波トランスデューサのトランスデューサアレイの周りに円周方向に離間された複数の励振器を含む、請求項４７に記載の装置。
【請求項５０】
前記複数の励振器を駆動し、前記複数の励振器によって生成される振動の相対位相を調整するように接続されたコントローラを備え、前記コントローラは、前記３Ｄ超音波トランスデューサによって検出されたエコー信号を処理して、関心ボリュームに位置するせん断波ノードを識別し、前記ノードを移動させるかまたは消滅させるように、前記複数の励振器の１つまたは複数の動作パラメータを制御するように構成されている、請求項４９に記載の装置。
【請求項５１】
前記１つまたは複数の動作パラメータは、前記複数の励振器のうちの１つまたは複数の励振器の動作周波数、前記複数の励振器のうちの第１および第２の励振器の相対位相、および前記複数の励振器のうちの１つまたは複数の励振器の動作の振幅のうちの１つまたは複数を含む、請求項５０に記載の装置。
【請求項５２】
エラストグラフィを実施する方法であって、
物体が横臥している物体接触部材を振動させることにより、物体内にせん断波を生成し、物体内の関心ボリュームに対応する超音波エコーデータを取得すること、
超音波エコーデータを処理して、関心ボリューム内のせん断波から生じる物体の動きを判定し、前記物体の動きを処理して、前記超音波エコーデータの中心面における前記せん断波の見かけ上の波長を判定すること、
振動の１つまたは複数のパラメータの第１のセットを調整することにより見かけ上の波長を最小化することによって、前記超音波エコーデータの前記中心面における前記せん断波の動きの方向を調整すること
を含む、方法。
【請求項５３】
前記物体は、ヒトまたは動物被検体の腹部内の組織である、請求項５２に記載の方法。
【請求項５４】
前記関心ボリュームの全部または一部は、ヒトまたは動物被検体の肝臓内に位置している、請求項５３に記載の方法。
【請求項５５】
前記物体の動きを処理して、前記関心ボリューム内の前記せん断波におけるノードを識別すること、前記振動の１つまたは複数のパラメータの第２のセットを調整することによって前記ノードの１つまたは複数を移動または排除することを含む、請求項５２に記載の方法。
【請求項５６】
前記超音波エコーデータを処理して、弾性画像を生成することを含む、請求項５２乃至５５のいずれか一項に記載の方法。
【請求項５７】
エラストグラフィを実施する方法であって、
物体が横臥している物体接触部材を振動させることによって、第１のセットの振動パラメータに従って物体内にせん断波を発生させ、前記物体の関心ボリュームに対応する超音波エコーデータを取得すること、
超音波エコーデータを処理して、前記関心ボリューム内のせん断波から生じる物体の動きを判定すること、
超音波データの品質評価値を計算すること、
前記品質評価値に基づいて、前記第１のセットの振動パラメータを修正して前記超音波データを調整すること
を含む、方法。
【請求項５８】
前記品質評価値は、信号対雑音比を含む、請求項５７に記載の方法。
【請求項５９】
前記品質評価値を計算することは、せん断波の測定されたフェーザの大きさが下限閾値を上回り、上限閾値を下回るかどうかを判定することを含む、請求項５７に記載の方法。
【請求項６０】
前記品質評価値を計算することは、関心ボリューム内の点の近傍の組織変位の空間周波数を所定の範囲の空間周波数と比較することを含む、請求項５７に記載の方法。
【請求項６１】
前記品質評価値を計算することは、点における組織変位の時間的シーケンスが所定の波形パターンにどの程度適合するかの評価値を判定することを含む、請求項６０に記載の方法。
【請求項６２】
前記所定の波形パターンは、外部振動器の振動周波数に等しい周波数を有する正弦関数である、請求項６１に記載の方法。
【請求項６３】
前記第１のセットの振動パラメータを修正することは、前記物体の振動の周波数を修正すること、前記物体の振動の振幅を修正すること、前記物体の振動の方向を修正することのうちの１つまたは複数を含む、請求項５７乃至６２のいずれか一項に記載の方法。
【請求項６４】
前記物体接触部材を振動させることは、前記物体接触部材を２つの振動源で振動させることを含み、前記第１のセットの振動パラメータを修正することは、前記２つの振動源の相対位相を修正することを含む、請求項５７乃至６３のいずれか一項に記載の方法。
【請求項６５】
前記超音波エコーデータを処理して弾性画像を生成することを含む、請求項５７乃至６４のいずれか一項に記載の方法。
【請求項６６】
エラストグラフィを実施する方法であって、
物体が横臥している物体接触部材を振動させることによって、第１のセットの振動パラメータに従って物体内にせん断波を発生させ、前記物体内の関心ボリュームに対応する超音波エコーデータを取得すること、
前記関心ボリューム内に位置するせん断波ノードを識別すること、
前記第１のセットの振動パラメータのうちの１つまたは複数のパラメータを修正して、前記せん断波ノードを移動または排除すること
を含む、方法。
【請求項６７】
前記せん断波ノードを識別することは、前記超音波エコーデータを処理して、最大の組織の動きが閾値を下回っている関心ボリューム内の所定のサイズおよび形状を有するノードボリュームを識別することを含む、請求項６６に記載の方法。
【請求項６８】
前記超音波エコーデータを処理して弾性画像を生成することを含む、請求項６６乃至６７のいずれか一項に記載の方法。
【請求項６９】
エラストグラフィを実施する方法であって、
ａ）物体が横臥している物体接触部材を振動させることによって、第１のセットの振動パラメータに従って物体内にせん断波を生成し、前記物体の関心ボリューム内のセクタに対応する超音波エコーデータを取得するステップと、
ｂ）各セクタについての前記超音波エコーデータの品質評価値を計算するステップと、
ｃ）前記品質評価値が閾値を上回っているセクタのうちの１つまたは複数についての超音波エコーデータまたは超音波エコーデータから計算された１つまたは複数の値を記録するステップと、
ｄ）セットの振動パラメータを修正し、超音波データを調整するステップと、
ステップａ）からｄ）を繰り返すステップと
を含む、方法。
【請求項７０】
前記超音波エコーデータまたは前記超音波エコーデータから計算された値が、関心ボリュームのすべてのセクタについて記録されるまで、ステップａ）からｄ）を繰り返すことを含む、請求項６９に記載の方法。
【請求項７１】
前記セットの振動パラメータを修正することは、所定の群のセットのパラメータから第２のセットの振動パラメータを選択することを含む、請求項６９または７０に記載の方法。
【請求項７２】
前記超音波エコーデータを処理して弾性画像を生成するステップを含む、請求項６９乃至７１のいずれか一項に記載の方法。
【請求項７３】
エラストグラフィを実施する方法であって、
ａ）物体が横臥している物体接触部材を振動させることによって、第１のセットの振動パラメータに従って物体内にせん断波を生成し、物体の関心ボリューム内のセクタに対応する超音波エコーデータを取得するステップと、
ｂ）各セクタについての超音波エコーデータの品質評価値を計算するステップと、
ｃ）前記セクタのうちの１つまたは複数についての超音波エコーデータの品質評価値を記録するステップと、
ｄ）前記第１のセットの振動パラメータを修正して、超音波データを調整するステップと、
ステップａ）〜ｄ）を繰り返すステップと
を含む、方法。
【請求項７４】
前記第１のセットの振動パラメータを修正することは、所定の群のセットのパラメータから第２のセットの振動パラメータを選択することを含む、請求項７３に記載の方法。
【請求項７５】
記録された品質評価値を使用して、最適化されたセットの振動パラメータを識別するステップを含む、請求項７３または７４に記載の方法。
【請求項７６】
前記物体が横臥している前記物体接触部材を振動させることによって、前記最適化されたセットの振動パラメータに従って前記物体内にせん断波を生成し、最適化された超音波エコーデータを取得するステップと、
前記超音波エコーデータを処理して弾性画像を生成するステップと
を含む、請求項７５に記載の方法。
【請求項７７】
請求項１乃至４４のいずれか一項に記載の装置を用いたヒト肝臓のエラストグラフィ画像を取得する方法であって、
ヒト被検体の背中の下に前記外部振動器を配置し、前記外部振動器を動作させて、前記ヒト被検体の組織にせん断波を伝達すること、
前記超音波トランスデューサを前記ヒト被検体の肋骨の間に配置し、前記超音波撮像システムを動作させて、ヒト被検体の肝臓の組織内の、前記外部振動器によって生成されたせん断波に対応する動きを検出し測定すること
を含む、方法。
【請求項７８】
本明細書で説明されるような任意の新規かつ進歩的な特徴、特徴の組み合わせ、または特徴のサブコンビネーションを有する装置。
【請求項７９】
本明細書で説明されるような任意の新規かつ進歩的な特徴、ステップ、動作、ステップおよび／または動作の組み合わせ、またはステップ／および動作のサブコンビネーションを有する方法。
【発明の詳細な説明】
【技術分野】
【０００１】
本発明は、医療用撮像、特に、せん断波エラストグラフィを適用する医療用撮像に関する。本技術は、肝臓、腎臓、脾臓、膀胱壁などの腹部器官の機械的特性を特徴付ける情報を提供することができる。本技術の応用例には、例えば肝臓を含む腹部の撮像が含まれる。
【背景技術】
【０００２】
医療用撮像は、組織の組成を判定するために多くの用途で使用されている。医療用画像において、画像の強度および色のうちの少なくとも一方は、組織組成のいくつかのパラメータの関数であり得る。例えば、コンピュータ断層撮影（ＣＴ）は、体内のＸ線の吸収をユーザに表示する。超音波は、パルス音波に応答して生成されるエコーパターンを表示する。
【０００３】
組織の機械的特性は特に重要である。特定の組織の機械的性質の変化は、疾患を示し得る。組織の機械的特性の変化はまた、治療の成功または失敗を示すことができる。従来型の診断方法は、健康な組織と病気の組織とを区別するために手による触診に依存してきた。例えば、より硬い組織の触診は、しばしば、乳癌および肝硬変などの肝臓疾患の診断の第一歩である。
【０００４】
エラストグラフィは、弾性、すなわち組織の機械的特性を示すことを目的とする医療用撮像技術である。弾性は、スティフネス（剛性）、またはコンプライアンスの逆数とも呼称される。高度なエラストグラフィ技術では、粘性および緩和時間などの組織の動的粘弾性特性も測定することができる。弾性イメージングでは、関心組織（例えば、前立腺）の近傍に機械的励振を印加し、結果として生じる組織の変形を測定する。結果として生じる変形は、超音波（超音波エラストグラフィまたはＵＳＥ）または磁気共鳴撮像（磁気共鳴エラストグラフィまたはＭＲＥ）によって測定することができる。変形は、粘弾性特性（例えば、剛性率（shear modulus）および粘度）などの情報を抽出するために後処理される。変形または組織の歪み、または代替的に、組織の固有の機械的特性が、撮像された物体の剛性（または他の意味のある機械的特性）のマップとして表示される。
【０００５】
エラストグラフィのいくつかの臨床用途は、オフィール（Ophir）らによる特許文献１に記載されている。磁気共鳴撮像（ＭＲＩ）を使用するエラストグラフィは、エーマン（Ehman）らによる特許文献２およびエーマン（Ehman）による特許文献３に記載されている。
【０００６】
エラストグラフィは、非特許文献１および非特許文献２により、肝（肝臓）線維症の検出および病期診断の臨床的価値があることが示されている。乳房のエラストグラフィ撮像については、非特許文献３に記載されている。
【０００７】
定量的エラストグラフィは、組織の励振およびその領域における結果として生じる動きの測定を受けて関心領域内の剛性を計算するという逆問題を解くエラストグラフィ技術である。逆問題は、１次元（単一点）関心領域、２次元（断面）関心領域、または３次元（体積）関心領域のいずれかについて解くことが可能である。
【０００８】
前述の技術の大部分において、外部励振器によって誘発される機械的波は空間および時間の両方において変化する。測定システムは、時間の複数のインスタンスで、関心領域にわたる変位のすべての１つ、２つ、または３つの成分（ｘ，ｙ，ｚ）を測定する。そのような測定は、波の伝搬の数学的表現を形成する。標準的なパルスエコー超音波撮像の有限の音速が与えられると、波の伝搬の定常状態の性質を利用して、波の数周期にわたる複数の測定により数学的表現を構築することが可能である。これは通常、波を作り出している励振器と取得とを同期させ、励振の周期性を仮定することによって実現される。
【０００９】
その全体が参照によりあらゆる目的のために本明細書に組み込まれるバグハニ（Baghani）らの特許文献４は、例えば、ｘＭＡＴＲＩＸ（登録商標）（ｉＵ２２）（Philips Healthcare、Andover、MA）のような、３Ｄボリュームを形成するために面ビームを電子的に誘導することができるマトリックスアレイのような適切なトランスデューサを用いて体積定量的エラストグラフィ画像を取得する方法、または体積画像を取得するために、立面方向の面に撮像を移動させる４ＤＬ１４−５／３８リニア４Ｄ超音波トランスデューサ（Analogic Corporation、Richmond、BC）のような、機械的に掃引される線形超音波撮像トランスデューサを用いる方法を提示している。特許文献４では、機械的に掃引された超音波トランスデューサの掃引動作は、時間および空間において規則的に離間された組織変位推定値の集合を生成するために、組織の動きの既知の周波数と同期される。これらの変位推定値を使用して、局所空間周波数推定器のような当技術分野で知られている技術を用いて弾性画像を計算することができる。このようなエラストグラフィに与えられる一般的な名称は、定量的せん断波振動エラストグラフィである。
【００１０】
定量的超音波せん断波振動エラストグラフィ画像が、胸郭の下にある深部組織について必要とされる場合、様々な問題が生じる。一般に、骨が撮像フィールドを妨げるので、任意の超音波画像法を使用する場合、胸郭の存在は困難をもたらす。
【００１１】
特に肝臓のような腹部内の器官のエラストグラフィの遂行に有用な実用的な費用効果的装置および方法が依然として必要とされている。
【先行技術文献】
【特許文献】
【００１２】
【特許文献１】米国特許第５１０７８３７号明細書
【特許文献２】米国特許第５８２５１８６号明細書
【特許文献３】米国特許第５９７７７７０号明細書
【特許文献４】米国特許出願公開第２０１２／０００７７９号明細書
【非特許文献】
【００１３】
【非特許文献１】シンクス（Sinkus）ら、「肝線維症：ＭＲエラストグラフィによる非侵襲的評価（Liver fibrosis: noninvasive assessment with MR elastography）」、生物医学におけるジャーナルＮＭＲ（Journal NMR in Biomedicine）、２００６年、ｐ．１７３−１７９
【非特許文献２】エーマン（Ehman）ら、「磁気共鳴エラストグラフィによる肝線維症の評価（Assessment of Hepatic Fibrosis With Magnetic Resonance Elastography）」、臨床消化器および肝臓病学ジャーナル（Journal of Clinical Gastroenterology and Hepatology）、第５巻、第１０号、２００７年１０月、ｐ．１２０７−１２１３
【非特許文献３】シンクス（Sinkus）ら、「ＭＲエラストグラフィにより測定されたｉｎ ｖｉｖｏ胸部病変の粘弾性せん断特性（Viscoelastic shear properties of in vivo breast lesions measured by MR elastography）」、磁気共鳴撮像ジャーナル（Journal of Magnetic Resonance Imaging）、２３巻、２００５年、ｐ．１５９−１６５
【発明の概要】
【００１４】
本発明は、せん断波エラストグラフィに有用な装置および方法を提供する。胸郭を介して、組織への深く一貫したせん断波伝達を可能にする具体的な例示の機械的および電気的設計が本明細書に記載されている。本発明はまた、障害物が回避され、大きな関心領域または関心ボリュームが見えるように、超音波トランスデューサを確実に支持し固定するのに有用な装置を記載する。
【００１５】
本発明の例示的な態様は、限定するものではないが、以下のものを含む。
・患者の体内にせん断波を発生させる装置
・患者の体内にせん断波を伝達する方法
・患者内のせん断波の方向を制御するための方法および装置
・エラストグラフィにおける振動ノードの影響を緩和するための方法および装置
・エラストグラフィにおいて使用するためのせん断波のフィールドを最適化するための方法および装置
・エラストグラフィ画像を生成するための方法および装置
・生きたヒトまたは動物の組織のヤング率、剛性、および粘性のうちの少なくとも一つのような機械的特性を測定するための方法および装置
・生きたヒトまたは動物の肝臓または他の器官における組織の機械的特性を判定するのに有用な方法および装置
開示された実施形態によるシステムは、定常状態のせん断波アブソリュートエラストグラフィを実行して肝臓組織のヤング率を測定するために適用されてもよい。
【００１６】
本発明の例示的な態様によれば、患者の背中の少なくとも一部を支持するように寸法決めされた概ね平らで剛性の患者接触部材、および患者接触部材の振動を駆動するように結合された少なくとも１つの励振器を含む外部振動器と、超音波トランスデューサ、および超音波トランスデューサを駆動して超音波パルスを送信し、超音波エコー信号を受信するように動作する駆動回路を含む超音波撮像システムと、超音波エコー信号を処理して、外部振動器によって生成されたせん断波に対応する動きを検出し測定するデータプロセッサとを備える、超音波エラストグラフィのための装置が提供される。
【００１７】
いくつかの実施形態では、励振器は、患者接触部材に対して慣性反作用力を伝達するために患者接触部材に対して移動可能な質量体を備える。質量体は、患者接触部材の面に実質的に平行な方向に移動可能であってもよい。質量体は、不平衡ロータを含むことができ、励振器は、ロータの回転を駆動するように接続されたモータを含むことができる。質量体は、カウンタウェイトを含むことができ、励振器は、患者接触部材に対してカウンタウェイトを往復運動させるように接続されたアクチュエータを含むことができる。
【００１８】
いくつかの実施形態では、患者接触部材は、カウンタウェイトの往復運動の経路に平行な第１の方向において、カウンタウェイトの往復運動の経路を横切る第２の方向よりも広い。患者接触部材は、第２の方向の長さが３０ｃｍ以下であってもよい。患者接触部材は、４０から８０ｃｍの範囲内にある幅および１０から２０ｃｍの範囲内にある長さを有することができる。
【００１９】
装置は、患者接触部材の上面に突出するカプラをさらに備え、カプラは、患者の胸郭の対向する側面に係合可能である。励振器は、カウンタウェイトが患者接触部材に対し往復動可能である方向のアライメントが調整可能となるように、患者接触部材に対して回転するように取り付けられてもよい。患者接触部材は、繊維強化プラスチックのシートを有する対向する面に面したコアを含むことができる。患者接触部材の下面は、患者接触部材が揺動することができるように、湾曲部および中央に位置する支点部のうちの少なくとも一方で形成されてもよい。質量体は、質量体の動きに起因する患者接触部材上の慣性力が患者接触部材の揺動を引き起こすように、患者接触部材の面に対して実質的に垂直な方向に移動可能であってもよい。
【００２０】
いくつかの実施形態では、患者接触部材は、コンプライアント支持体上に支持される。コンプライアント支持体は、１つまたは複数の枕、１つまたは複数の膨張可能なクッション、および１つまたは複数のバネのうちの少なくとも一つを備えることができる。
【００２１】
いくつかの実施形態では、少なくとも１つの励振器は、複数の励振器を含む。少なくとも１つの励振器は、可変周波数励振器を含むことができる。可変周波数励振器は、４５Ｈｚから７０Ｈｚの範囲内の周波数を有する患者接触部材の振動を励振するように動作可能であってよい。装置は、患者接触部材に取り付けられた１つまたは複数の加速度計をさらに備えていてもよい。装置は、患者接触部材に取り付けられたカメラをさらに備えてもよい。
【００２２】
超音波トランスデューサは、超音波トランスデューサと患者との接触点を変更することなく、超音波トランスデューサの撮像面の回転を可能にする遠隔の回転中心機構によって支持されることができる。遠隔の回転中心機構は、トランスデューサ支持体に結合された連結部を含むことができる。連結部は、平行四辺形の連結部を含むことができる。装置は、遠隔の回転中心機構の構成を固定するように動作可能なロックをさらに備えていてもよい。トランスデューサは、超音波トランスデューサの撮像アレイの要素が配置されている面に略垂直に方向づけられた軸の周りで、トランスデューサの回転を可能にするように取り付けられることができる。
【００２３】
いくつかの実施形態では、少なくとも１つの励振器が駆動される。
いくつかの実施形態では、超音波撮像システムの動作のタイミングは、外部振動器の振動に同期されている。さらに他の実施形態では、超音波撮像システムは、超音波撮像システムクロックをさらに備え、少なくとも１つの励振器は、少なくとも１つの励振器クロックをさらに備え、超音波撮像システムクロックおよび少なくとも１つの励振器クロックは同期されている。
【００２４】
プロセッサは、超音波エコーデータを処理して、せん断波の見かけ上の波長（apparent wavelength）を決定し、せん断波の見かけ上の波長を減少させるように外部振動器の１つまたは複数の動作パラメータを調整することによって、超音波トランスデューサにより撮像面に対するせん断波の方向を最適化するように構成されることができる。外部振動器の１つまたは複数の動作パラメータは、少なくとも１つの励振器のうちの１つまたは複数の励振器の動作周波数、少なくとも１つの励振器のうちの第１および第２励振器の動作の相対位相、少なくとも１つの励振器のうちの１つまたは複数の励振器の動作の振幅、および少なくとも１つの励振器のうちの１つまたは複数の励振器の振動の方向のうちの１つまたは複数を含むことができる。プロセッサは、超音波トランスデューサの向きの各々についてのせん断波の見かけ上の波長を最小化するように超音波トランスデューサの向きが変更されると、リアルタイムで外部振動器の１つまたは複数の動作パラメータを制御するように構成されてもよい。プロセッサは、少なくとも１つの励振器のうちの複数の励振器の相対位相を制御して、せん断波の見かけ上の波長を最小化するように構成されることができる。
【００２５】
いくつかの実施形態では、データプロセッサは、エコー信号を処理して、関心ボリューム内に位置するせん断波ノードを識別し、ノードを移動または消滅させるように外部振動器の１つまたは複数の動作パラメータを制御するように構成されている。外部振動器の１つまたは複数の動作パラメータは、少なくとも１つの励振器のうちの１つまたは複数の励振器の動作周波数、少なくとも１つの励振器のうちの第１および第２励振器の動作の相対位相、少なくとも１つの励振器のうちの１つまたは複数の励振器の動作の振幅、および少なくとも１つの励振器のうちの１つまたは複数の励振器の振動の方向のうちの１つまたは複数を含むことができる。データプロセッサは、超音波エコー信号を処理して、最大の組織の動きが閾値未満である関心領域内の所定のサイズおよび形状を有するノードボリュームを識別することによって、せん断波ノードを識別するように構成されてもよい。ノードボリュームは球形であってもよい。ノードボリュームは、１０ｍｍから２５ｍｍの範囲内の直径を有することができる。
【００２６】
いくつかの実施形態では、超音波撮像システムは、超音波撮像システムがＢモード超音波画像を取得する標準超音波撮像モードと、超音波撮像システムがエラストグラフィ撮像のためのデータを取得する超音波エラストグラフィ撮像モードとの間で交互に動作するように構成されている。
【００２７】
いくつかの実施形態では、プロセッサは、測定された組織変位の品質評価値を計算し、少なくとも部分的に品質評価値に基づいて外部振動器の制御を行うように構成されている。品質評価値は、信号対雑音比を含むことができる。品質評価は、測定されたせん断波のフェーザの大きさが下限閾値を上回り、上限閾値を下回るかどうかを判定することを含むことができる。品質評価値を計算することは、関心ボリューム内の点の近傍の組織変位の空間周波数を所定の範囲の空間周波数と比較することを含むことができる。品質評価値を計算することは、ある点における組織変位の時間的シーケンスが所定の波形パターンにどの程度よく適合するかの評価値を判定することを含むことができる。所定の波形パターンは、外部振動器の振動周波数に等しい周波数を有する正弦関数であってもよい。
【００２８】
本発明のさらなる態様によれば、部分的に剛性のベルト、およびベルトに結合された少なくとも１つの励振器を含む外部振動器と、超音波トランスデューサ、および超音波トランスデューサを駆動して超音波パルスを送信し、超音波エコー信号を受信するように動作する駆動回路を含む超音波撮像システムと、超音波エコー信号を処理して、外部振動器によって生成されたせん断波に対応する動きを検出して測定するように構成されたデータプロセッサとを備える超音波エラストグラフィのための装置が提供される。いくつかの実施形態では、少なくとも１つの励振器は、複数の励振器を含む。
【００２９】
本発明のさらなる態様によれば、超音波トランスデューサ、超音波トランスデューサを駆動して超音波パルスを送信し、超音波エコー信号を受信するように動作する駆動回路、および超音波トランスデューサに結合された少なくとも１つの励振器を含む超音波撮像システムと、超音波エコー信号を処理して、外部振動器によって生成されたせん断波に対応する動きを検出して測定するように構成されたデータプロセッサとを備える超音波エラストグラフィのための装置が提供される。本発明のいくつかの実施形態では、少なくとも１つの励振器は、超音波トランスデューサを実質的に取り囲んでいる。
【００３０】
本発明の別の態様によれば、物体が横臥している患者接触部材を振動させることによって、物体内にせん断波を発生させ、物体内の関心ボリュームに対応する超音波エコーデータを得ること、超音波エコーデータを処理して、関心ボリューム内のせん断波から生じる物体の動きを判定すること、および物体の動きを処理して、超音波エコーデータに対応する面内のせん断波の見かけ上の波長を判定すること、振動の１つまたは複数のパラメータの第１のセットを調整することによって見かけ上の波長を最小化することによって、超音波エコーデータに対応する面内のせん断波の運動の方向を調整することを含む、エラストグラフィを実行する方法が提供される。
【００３１】
いくつかの実施形態では、物体は、ヒトまたは動物被検体の腹部内の組織である。関心ボリュームの全部または一部は、ヒトまたは動物被検体の肝臓内に位置してもよい。方法は、物体の動きを処理して、関心ボリューム内のせん断波におけるノードを識別すること、振動の１つまたは複数のパラメータの第２のセットを調整することによって、１つまたは複数のノードを移動させるか、または排除することをさらに含むことができる。
【００３２】
例示的なシステムは、患者と接触する機械的振動器または励振器と、励振器のためのベルトおよび支持体と、超音波トランスデューサ支持および位置決めシステムと、組織の動きを読み取り、励振信号を制御するように構成されたソフトウェアおよびハードウェアを含む制御システムとを含む。振動器励振器は、撮像領域を振動させるように動作可能である。
【００３３】
本発明の別の態様は、本明細書に記載の装置を使用してヒトの肝臓のエラストグラフィ撮像を行う方法を提供する。いくつかの実施形態では、超音波トランスデューサがヒト被検体の肋骨の間に配置され、方法は、超音波撮像システムを操作して、ヒト被検体の肝臓の組織において外部振動器によって生成されたせん断波に対応する動きを検出することを含む。いくつかの例示的な実施形態では、ヒト被験体は外部振動器の上に横臥する。外部振動器は、拡張された表面を有してもよく、ヒト被検体の肝臓に近接して配置されてもよい。いくつかの実施形態では、外部振動器の表面は、４０Ｈｚから７５Ｈｚの範囲内の周波数で水平方向に振動させられる。いくつかの実施形態では、水平方向は、一般に、ヒト被検体の背骨に対して略直角であってよい。いくつかの実施形態では、外部振動器は、ヒト被検体と、ヒト被検体が横臥しているベッドのマットレスとの間に配置されている。
【００３４】
さらなる態様および例示の実施形態は、添付の図面に示され、かつ以下の説明で説明されるか、またはそのどちらかで説明される。
【図面の簡単な説明】
【００３５】
【図１】本発明の例示的な実施形態において、患者と接触する励振器を保持するために使用される半剛性半弾性ベルトを示す図である。
【図２】本発明のさらなる例示的な実施形態において、励振器ベルトに沿って配置された、いくつかの励振器を示す図である。
【図３Ａ】肋骨の間または胸郭の下のいずれかから肝臓を撮像するために適用され得るトランスデューサの配置を示す図である。
【図３Ｂ】肋骨の間または胸郭の下のいずれかから肝臓を撮像するために適用され得るトランスデューサの配置を示す図である。
【図４Ａ】ショルダーストラップによって支持されたベルトに取り付けられたロック可能な調節可能な支持体を使用する例示的なトランスデューサの支持および位置決めを示す図である。
【図４Ｂ】図４Ａのトランスデューサの支持および位置決め構造を示す図である。
【図５Ａ】遠隔の回転中心を有するトランスデューサ支持体を示す図である。
【図５Ｂ】図５Ａのトランスデューサ支持体の拡大図である。
【図６】仰臥位の患者の下に配置可能な大きな平坦な表面を含む別の励振器機構を示す図である。
【図７Ａ】２つの励振器に取り付けられたトランスデューサを示す図である。
【図７Ｂ】４つの励振器に取り付けられたトランスデューサを示す図である。
【図８Ａ】振動源として動作する励振器によって取り巻かれた、または取り囲まれたトランスデューサを示す図である。
【図８Ｂ】図８Ａのトランスデューサの拡大図である。
【図９Ａ】せん断波の方向が超音波画像の面と平行である場合を判定するために、最短のせん断波長をどのように使用することができるかを示す概略図である。
【図９Ｂ】せん断波の方向が超音波画像の面と平行である場合を判定するために、最短のせん断波長をどのように使用することができるかを示す概略図である。
【図１０Ａ】本発明の一実施形態による励振器ボード上の患者を示す図である。
【図１０Ｂ】励振器ボードの下に励振器が取り付けられている励振器ボード上の患者を示す図である。
【図１０Ｃ】励振器が水平方向の力を生成し、カプラが肋骨に力を伝達する励振器ボード上の患者を示す図である。
【図１０Ｄ】励振器ボードに取り付けられたカメラがトランスデューサを追跡する励振器ボード上の患者を示す図である。
【図１１】頂部に取り付けられた励振器を含む外部振動器に横臥している患者を示す図である。
【図１２】本発明の例示的な実施形態を示すハイレベルブロック図である。
【図１３】図１２のコントローラによって実行され得る方法の高レベルフロー図である。
【図１４】さらなる実施形態による、図１２のコントローラによって実行され得る方法の高レベルフロー図である。
【発明を実施するための形態】
【００３６】
添付の図面は、本発明の非限定的な例示的実施形態を示す。
以下の説明を通して、特定の詳細は、本発明のより完全な理解を提供するために記載される。しかしながら、本発明は、これらの詳細がなくても実施されることが可能である。他の例では、本発明を不必要に不明瞭にすることを避けるために、周知の要素については詳細に図示または説明していない。したがって、明細書および図面は、限定的な意味ではなく、例示的なものとみなされるべきである。本明細書で開示される特定の詳細は、限定として解釈されるのではなく、事実上任意の詳細なシステム、構造または方法において本発明をどのように使用するかを当業者に教示するための代表的な基礎として解釈されるべきである。
【００３７】
本発明は、身体の他の部分を撮像するために使用することもできるが、ヒトまたは動物の腹部を撮像するために適用することができる。肝臓は、本発明で撮像することができる臓器の具体例として使用される。
【００３８】
本明細書を通して、「励振器」とは、患者と接触する構成要素を有し、振動して組織を揺動させる、または振動させる装置または機構を指す。励振器は、適切な励振信号によって駆動されて、選択された期間中に組織を連続的に揺動させる、または振動させることができる。「トランスデューサ」または「超音波トランスデューサ」は、高周波音波を送信し、エコーを受信して、画像再構成および組織変位トラッキングに適用され得る空間情報を提供することができる圧電結晶のアレイを含むプローブであり、「ベルト」は、患者の周りをしっかりと包み込み、所定の位置に固定することができるバンドである。ベルトは、面ファスナー（例えば、ベルクロ（登録商標））または他のファスナーを使用して、固定することができる。ベルトは、励振器および超音波トランスデューサの両方のための取り付け具および保持具を支持することができる。
【００３９】
図１は、励振機構または「励振器」１０２を保持するために使用され得る半弾性の半剛性ベルト１０５を示す。ベルト１０５は、患者の右側の励振器１０２を所定の位置に固定するために、患者の背中（後方）を包囲する剛性部分１０３を有する。ベルト１０５の弾性部分１０４は、患者の前部（前方）を包み込む。部分１０４の弾性により、呼吸中に患者の胸郭が拡張および収縮することが可能になる。励振器ベルト１０５は、肋骨８−１２にわたる領域１０６において、励振器１０２を患者の皮膚上に位置付けるために使用され、肋骨８−１２は、振動し、一定の励振波を肝臓組織に供給する。励振器１０２は、振動が確実に肋骨に伝達され、肋骨の間の空間に吸収されないように、いくつかの肋骨と同時に接触するように十分に広い。
【００４０】
別の実施形態では、励振器１０２は、ベルト１０５の非弾性の、ある実施形態では剛性の部分に取り付けられる。他の代替の実施形態では、ベルト１０５は、その長さのすべてまたはほとんどに沿って弾性である。ベルト１０５は、１つまたは複数の励振器１０２のアンカーを提供する。励振器１０２は、ベルト１０５上の固定位置にあってもよく、またはベルト１０５に対して調整可能であってもよく、またはその両方であってもよい。
【００４１】
図２は、適切なせん断波強度を提供するための設定の別の可能な実施形態を示す。ここでは、複数の励振器１０２がベルト１０５に沿って配置され、波の伝搬およびカバレッジを増加させる。これにより、肝臓または腹部の他の器官の組織のより深いところでの剛性測定が可能になる。
【００４２】
超音波トランスデューサ１０１の適切な配置は、肝臓または他の腹部器官の撮像を容易にする。図３Ａおよび図３Ｂは、肝臓を評価するための２つの異なる方法を示す。図３Ａにおいて、トランスデューサ１０１は、患者の右側の２つの肋骨３０１の間に配置されている。骨を通して組織を見るときに超音波画像を得ることはできないが、肝臓のような臓器を肋骨の間のより柔らかい組織を通して見ることが可能である。一例として、肝臓は右手側の胸郭３０２のすぐ内側に位置するので、この方法で容易に評価することができる。他の器官は、肋骨の間で利用可能な他の視野で撮像することができる。図３Ｂにおいて、トランスデューサ１０１は、胸郭３０２の下側（下方）に配置されている。図３Ａおよび図３Ｂの両方において、励振器１０２の適切な例示的な位置も参照のために示されている。
【００４３】
図４Ａおよび図４Ｂは、超音波トランスデューサ１０１を励振器ベルト１０５に取り付けるための１つの方法を示す。６自由度の支持体４０１は、関心のある肝臓または他の組織の良好な画像を得るためにトランスデューサ１０１を保持し、位置付ける。肝臓が見えるようにトランスデューサ１０１が位置付けられ、回転されると、支持体４０１がロックされて、トランスデューサ１０１を固定した状態に維持する。一旦トランスデューサ１０１が適所にロックされると、トランスデューサ１０１の動きを抑制するようにショルダーストラップ４０２が設けられてもよい。
【００４４】
いくつかの実施形態は、撮像された組織におけるせん断波の特性を測定するために処理することができる３次元超音波データを取得する。３次元超音波データは、例えば、撮像面がボリュームを掃引するように超音波トランスデューサを移動させることによって取得されることが可能である。この移動は、例えば、超音波トランスデューサを画像面内の、または画像面に平行な横軸に対して傾斜させること、超音波トランスデューサを縦軸の周りに回転させること、および超音波トランスデューサを平行移動させることのうちの少なくとも一つを含むことができる。
【００４５】
例えば、いくつかの実施形態では、２次元アレイを小さな角度（例えば、１０度から２０度の範囲の全角度）で掃引することによって３次元画像を取得することができる。しかしながら、そのような掃引の間、トランスデューサ１０１は、組織の表面に沿って移動する可能性があり、組織が撮像されている位置を変化させる。この位置の変化は通常は問題ではないが、肋骨３０１（図３Ａ参照）間の撮像のように、小さな窓を通しての撮像を困難にする。
【００４６】
撮像を容易にするために、いくつかの実施形態は、撮像面を回転させるが、組織上に同じ接触点を維持するために使用される遠隔の回転中心機構５０１を提供する。図５Ａおよび図５Ｂは、遠隔の回転中心機構５０１の一例を示す。図５Ａおよび５Ｂは、遠隔の回転中心機構５０１がトランスデューサ支持体と一体化された例示的な実施形態を示す。
【００４７】
図５Ａおよび図５Ｂに示すように、トランスデューサ１０１は平行四辺形リンケージ上に取り付けられて、撮像アレイ１０１Ａは、固定ハンドル４０３またはハンドル４０３および４０４を介して適所に固定されることができるスタビライザ機構４０１によって画定された所与の位置にとどまる。平行四辺形リンケージは、ジョイント５０２および５０３を中心に旋回することができ、トランスデューサ１０１を撮像アレイ１０１Ａの周りで旋回させることができる。スタビライザ機構４０１は、トランスデューサを移動させるために外部に構築されてもよく、または、トランスデューサハウジングに対してトランスデューサアレイ（例えば、１０１Ａ）を移動させるために、トランスデューサハウジング内に小型化され構築されてもよい。スタビライザ機構４０１は、トランスデューサ１０１を肋骨に平行な軸の周りに回転させることを可能とする。いくつかの実施形態では、回転軸は、２つの隣接する肋骨に平行であり、それらの間にあってもよい。トランスデューサ１０１は、患者の組織との接触点を通過する軸の周りを回転してもよく、接触点の下の点（例えば、接触点における皮膚の下３ｃｍ）を通過する軸の周りを回転してもよい。患者の画像データの肋骨の間を評価する際に、患者の隣接する肋骨に起因する陰影が付された信号を識別して破棄するように処理することができる。
【００４８】
スタビライザ機構４０１は、トランスデューサ１０１を小さな角度、例えば各方向に５°から１０°の範囲内の角度で、または１０から２０度の合計角度で回転させることができる。他の例示的な実施形態では、トランスデューサは、一方または両方の方向に７°未満または１０°を超える角度で回転させることができる。
【００４９】
いくつかの実施形態では、トランスデューサ１０１は、長さ方向（長手方向）の軸（例えば、撮像アレイ１０１Ａの要素が配置されている表面に略垂直な軸）の周りを回転することができる。トランスデューサ１０１を長さ方向軸周りに回転させることにより、操作者はトランスデューサの撮像面とせん断波の位置合わせを改善することができる。
【００５０】
図６は、肝臓または他の器官を撮像するために使用され得る異なる例示的な装置を示す。この実施形態では、大きく平らなプレート６０１を含む励振器６００が、仰臥位で横臥する患者の下から組織を振動させるために使用される。励振器６００は、患者の背中の下に快適に配置されるように十分に薄くなるように設計されている。励振器６００の高さ６０２を調整するための機構を設けることができる。高さ６０２は、患者の背中６０３とせん断波トランスミッションとの良好な接触を確実にするように調整することができる。別の実施形態では、励振器６００は、患者が横臥している表面の凹部（図示せず）内に収容される。
【００５１】
図７Ａおよび図７Ｂは、複数の構成をどのように組み合わせて、各設計フィーチャからの利益を最大化することができるかを示している。複数の励振器１０２をトランスデューサ１０１に直接取り付けることができる。トランスデューサ１０１は、ベルト１０５、肩ストラップ４０２、および６自由度の遠隔の回転中心トランスデューサ支持体４０１，５０１を使用して任意に配置し固定することができる。励振器１０２は、まとめていくつかの肋骨に広がっていてもよい（例えば、７から１５ｃｍの距離にわたる）。いくつかの実施形態では、各励振器１０２は、大きく平らな接地面積を有する。
【００５２】
図８Ａおよび８Ｂは、トランスデューサ１０１を完全にまたは実質的に取り囲む平坦な環またはリング形状を有する異なる励振器８０１を含む別の構成を示す。励振器８０１はトランスデューサ１０１に取り付けられており、トランスデューサ１０１は、任意に上記の機構のいずれかを使用して支持されることができる。
【００５３】
当該システムの任意の実施形態において、励振信号およびパターンは、せん断波による肝臓などの関心組織の適用範囲を最適化するように、任意に制御および操作され得る。励振信号は、１つまたは複数の励振器によって提供されてもよい。各励振器は、１つまたは複数の周波数を含み得る選択された励振信号によって駆動されてもよい。（単数または複数の）励振信号は、トランスデューサによって受信された信号に応答して、手動または自動的に調整されてもよい。例えば、せん断波が小さすぎてトランスデューサによって正確に測定できない場合、１つまたは複数の励振信号の振幅を大きくして組織の動きをより大きくすることができる。
【００５４】
２つ以上の励振周波数は、同じ励振器または異なる励振器によって同時に印加されてもよい。２つ以上の励振器は、適切な大きさのボリュームをカバーする３次元パターンを生成するために、異なる相対位相および振幅で患者の組織を励振するように動作させることができる。励振周波数は、患者の大きさ、初期波の振幅および方向に基づいて、または検出された波に基づいて自動的に、選択され得る。
【００５５】
２Ｄ超音波が使用される場合、操作者は、得られた超音波画像を観察しながらプローブを手動で動かして、適切に大きなボリュームをカバーするせん断波の三次元パターンが得られているかどうかを判定することができる。
【００５６】
例示的な実施形態では、システムは、検査中の組織の超音波画像と、リアルタイムでのせん断波の画像を表示する。２Ｄ超音波トランスデューサでは、操作者は、トランスデューサの所与の運動範囲に対して実質的に組織の最大断面を提供する、組織を通る面である「中心」面を識別する。
【００５７】
所定のせん断波パターンが生成されると、ノードと呼ばれる特定の領域が現れ得る。ノードまたはその近傍には、比較的小さな組織の動きが存在する。ノードは、ほとんど動きのない領域として超音波画像に現れる。組織の動きがなければ、組織の弾性は正確には決定できない。撮像されている関心ボリューム内にこのようなノードが存在すると、弾性評価の信頼性が低くなり得る。
【００５８】
組織内のノード領域は、所与の閾値、例えば１００ミクロン未満である最大の組織の動きを有する所定の組織領域にわたって、例えば所定の直径、例えば２０ｍｍの直径の球にわたって画定され得る。いくつかの実施形態では、超音波データは、そのようなノード領域を自動的に検出するように処理される。
【００５９】
いくつかの実施形態では、１つまたは複数の励振器を駆動する信号は、関心ボリューム内のノードを回避すること、およびノードを関心領域の一部から別の領域に移動させることのうちの少なくとも一方がなされるように制御され、これにより関心領域にわたって組織の弾性を測定することが可能となる。これは手動または自動で行うことが可能である。
【００６０】
いくつかの実施形態では、１つまたは複数の励振器を駆動する（単数または複数の）信号は、振動制御ソフトウェアによって制御される。振動制御ソフトウェアは、例えば、１つまたは複数の信号の位相、周波数、および振幅のうちの少なくとも一つを制御して、任意のノードをある場所から別の場所に移動させることができる。これにより、組織の全領域のエラストグラフィ撮像が可能となる。
【００６１】
１つまたは複数の励振器の振動の周波数は、組織内の特定の位置に見出されるノード領域が除去されるまで調整することができる。周波数は、一連の周波数を選択することによって調整することができ、または逐次測定または連続測定を使用するフィードバックループに基づいて自動的に調整することができる。
【００６２】
例示的な実施形態では、データは、４５Ｈｚ、５０Ｈｚ、５５Ｈｚおよび６０Ｈｚの周波数における励振について収集される。一般に、データは、１，２，３，４またはそれ以上の個数の周波数における励振について収集することができる。より深い腹部の撮像のためには、周波数が５０Ｈｚから６０Ｈｚの範囲内またはそれに近い場合が一般的である。これらの周波数は、患者のサイズ、および撮像されている器官のサイズまたは構成（例えば、患者の肝臓）のうちの少なくとも一つなどの患者の特性に基づいて調整されることができる。より小さい患者の場合には、７０Ｈｚまでの周波数、潜在的には７０Ｈｚより高い周波数が適している可能性がある。より大きな患者の場合、４５Ｈｚ程度の周波数、または４５Ｈｚより小さい周波数が適している可能性がある。あるいは、２つ以上の励振器の相対位相は、組織の特定の位置におけるノード領域が、組織の特定の位置において弾性の評価値を得るために除去されるか、または十分に移動されるまで調整され得る。
【００６３】
１つまたは複数の励振器による励振から生じるせん断波の方向は、励振器を駆動する励振信号の周波数および位相のうちの少なくとも一方を変更することによって調整することができる。最も正確な弾性評価は、せん断波に関連する組織の動きが撮像面と同じ面にあるときに行うことができる。組織の動きの超音波ベースの測定結果は、組織の動きが超音波伝搬方向と整列していない場合よりも、組織の動きが超音波伝播に平行である場合に、著しく良好な精度を有することができる。ある場合には、分解能は、せん断波の影響下での組織の動きの方向を超音波伝搬方向と整列させることによって、１桁のオーダーの大きさで改善され得る。
【００６４】
図９Ａおよび図９Ｂは、励振器１０２を駆動する励振信号の相対的な位相を変化させることによって制御することができる、例示的なせん断波９０２およびその方向９０１を示す。超音波撮像面９０３に見られる知覚された波長９０４，９０５は、せん断波の方向が超音波撮像面に平行である場合に最も短い９０５と示されている。３Ｄトランスデューサの場合、超音波撮像面９０３は、撮像ボリュームの中心面として解釈される。せん断波の推測的な方向９０１を知らずに、トランスデューサ軸９０３を波の方向９０１に（可能であれば）整列させるために、線または面に沿った組織の動きのみを測定するシステムは、その測定が、せん断波の実際の波長より長い波長を提供するので、組織の剛性を過大評価する傾向がある。
【００６５】
励振器１０２のシステムによって伝達されたせん断波は、最短のせん断波長が達成されるまでせん断波の方向を変化させることによって、所定の関心領域内で、撮像面に平行に制御され得る。場合によっては、これは関心ボリュームの異なる部分について別々に行うことができる。
【００６６】
いくつかの状況では、１つまたは複数の励振器を再配置すること、または１つまたは複数の励振器の励振信号の周波数および位相の少なくとも一方を修正することのいずれかによって、せん断波の伝搬方向を手動で調整して、所与の患者に対する波の伝播を最適化することが望ましい場合がある。例えば、一部の肥満患者では、せん断波が、修正された方向で身体を伝播するようにすることが望ましい場合がある。
【００６７】
せん断波の方向は、一連の測定結果に基づく閉フィードバックループを使用して自動的に制御されることができる。例えば、超音波データは、撮像された組織におけるせん断波の波長および励振信号のパラメータ（例えば、測定される波長の最小値が達成されるまで、周波数、位相および振幅のうちの少なくとも一つが変更され得る）を判定するために処理され得る。最小値に対する系統的探索は、これらの位相、周波数および振幅の小さな変化から推定される一定の間隔または局所的な勾配に沿った位相、周波数および振幅のサンプリングを使用することができる。
【００６８】
いくつかの実施形態では、せん断波がトランスデューサ面から外に直接伝播するように、１つの励振器またはいくつかの励振器をトランスデューサに直接取り付けることができる（図７Ａおよび図７Ｂを参照）。操作者は、トランスデューサを動かして撮像面を組織の最大の動きの方向に整列させることによって撮像面を調整することができる。
【００６９】
より低い励振周波数は、より深い浸透性および増大した組織変位振幅を提供する。トレードオフは、より低い周波数では、得られる弾性画像の解像度が低いことである。より高い励振周波数においては、波長が短く、単位距離当たりでより多くの周期のせん断波が測定されることができるので、組織の弾性の測定は、より高い励振周波数においてより高い分解能を提供することができる。所与の患者の最大周波数成分は、励振周波数を調整し、組織変位の振幅を測定して、信号対雑音比が合理的であることを検証することによって見出すことができる。
【００７０】
相互相関法を使用して、信号対雑音比を判定することができる。間隔を空けた時間に撮影された超音波画像の対応するパッチは、組織の動きを測定するために、相互相関によって比較されることができる。１．０の相関は、超音波画像が変形しておらず、せん断波の動きによって単にシフトしたことを意味する。相関が低いことは、例えば、ノイズまたは変形の結果として、画像が著しく異なることを示す。合理的な信号対雑音比は、相関が０．９より大きい場合に満たされることが分かっている。
【００７１】
別の信号対雑音評価値は、変位測定結果が励振周波数における純粋な正弦波形にどれくらい近似するかを測定するフェーザ（振幅および位相）フィッティングプロセスに対する、間隔をあけた時間で得られた変位測定結果のフィットから判定することができる。完璧なフィットは、サンプルが完全な正弦波をトレースすることを意味するゼロの誤差を与える。この方法により、時間領域変位が実際の変位信号であると仮定する。測定された変位とフィッティングする余弦との間の誤差は、ノイズであり、推定されたノイズのＲＭＳに対する信号のＲＭＳの比は、信号対ノイズ比の評価値である。
【００７２】
図１０Ａから図１０Ｄは、図６と同様の有利な構成を提示する。この構成は、肝臓測定を行う医療従事者が、肝臓の従来の超音波検査法に類似した方法で超音波トランスデューサ１０１を操作することを可能にし、同時に肝臓および腹部全体にわたるせん断波の強力なフィールドから利益を得ることを可能にする。励振器１０２を再配置することなく、あるいは、再配置による患者６１０への干渉なしに、トランスデューサ１０１は、位置６４０に配置されて、患者の肋骨の間または位置６４１において肝臓を撮像して、患者の肝臓を腹部横断的に撮像することが可能である。
【００７３】
図１０において頭尾軸に沿って示された患者６１０は、ベッドマットレス６１２上に配置された励振器ボード６１１の上に横臥している。ボード６１１は、患者の背中６０３の下に配置され、図６に示されるものと同様である。試験され、殆どの患者に適合するボードの寸法は、軸方向（患者の左右方向）が４０〜６０ｃｍ、幅が１０〜２０ｃｍ（患者の上下方向）である。堅く、軽量のボードは有益である。例えば、ボード６１１は、ケブラー（Ｋｅｖｌａｒ）（登録商標）または炭素繊維のような繊維強化プラスチック材料のシートでいずれかの面を強化されたハニカムコアを含む構造を含むことができる。励振器ボード６１１には、振動の振幅を増大させることを可能とする弾性層（図示せず）を取り付けてもよい。
【００７４】
一実施形態では、ボード６１１の動きを駆動する励振器１０２は、慣性系であり、カウンタウェイトを直線的または回転的に動かすことによって力を生成する。
一実施形態（図１０Ａ、図１０Ｂ、図１０Ｄ）では、励振器１０２によって生成された力は垂直方向にあり、患者の背中に作用するボード６１１の揺動運動によって力６１６，６１７を生成する。
【００７５】
いくつかの実施形態（例えば、図１０Ｃ）では、励振器１０２によって生成された力は（ボード６１１の面内で）水平である。力は、例えば、患者の横左右方向に向けられて、患者の肋骨に押し付けられるカプラ６１９（直線または曲線の）を介して患者に動きが与えられる。カプラ６１９は、例えば、ボード６１１の上面に突出した調節可能なボルスタまたは支持体を含むことができ、患者がボード６１１上に横臥している間に患者の胸郭の側面に当てることができる。いくつかの実施形態では、少なくとも１つのカプラ６１９は、既に横臥している患者の下でボード６１１の揺動を容易にするために取外し可能である。
【００７６】
超音波トランスデューサが経腹撮像のために前方にある場合、図１０Ｃの構成は、超音波画像の最大減衰領域において組織の動きの最大振幅を生じさせることを可能とし、せん断波がより減衰する場合には超音波の減衰が最も少なくなるようにすることができる。このファクタの組み合わせにより、撮像面全体にわたる正確な組織の動き測定を容易にすることができる。
【００７７】
いくつかの実施形態では、励振器１０２によって生成される力は、斜め方向に向けられている。斜め方向の力は、水平方向の力または垂直方向の力のいずれかを各々印加する１組の励振器１０２によって、またはそれぞれが斜めに力を与える１つまたは複数の励振器によって付与され得る。
【００７８】
さらなる実施形態では、１つまたは複数の励振器によって生成された力が方向を変えることができる。印加された力の方向は、例えば図１０Ｃに示されるような水平方向の力を発生させる１つの励振器１０２と、図１０Ｂに示されるような垂直方向の力を発生させる第２の励振器１０２との間の位相差を変化させることによって変更することができる。例えば、このような位相変化を適用して、ボード６１１に印加される正味の力の方向を回転させるか、またはシフトさせることができる。別の例として、不均衡な回転運動によって回転力を発生させることができる。例えば、励振器は、所望の周波数で回転するように駆動される不平衡ロータを備えることができる。
【００７９】
肋骨の動きは、患者の胸郭内の任意の組織の動きを制限または変更し得る。１つまたは複数の励振器のそれぞれによって生成されたせん断波の振幅、位相、周波数または伝播の方向は、胸郭内の組織の動きに影響を及ぼすように変更されてもよい。いくつかの実施形態では、励振器およびトランスデューサのうちの少なくとも一方の位置は、肋骨の形状および屈曲方向を考慮して調整することができる。
【００８０】
いくつかの実施形態では、励振器ボード６１１は、ボード６１１の面内でのボード６１１の動きを容易にする支持体上に配置されている。例えば、ボード６１１は、枕（または一組の枕）６２５，１つまたは複数の膨張可能なクッション、１つまたは複数のばね等のうちの１つまたは複数によって支持されている。ボード６１１が比較的容易に動くことを可能にするようにボード６１１を支持することは、ボード６１１上に横臥している患者の組織内へのより大きな振幅のせん断波の伝達を促進する。
【００８１】
いくつかの実施形態では、枕は、様々なサイズの患者に適応するために膨張可能な枕であってもよく、一方、ベッドにばね様の特徴を提供してもよい。他の実施形態では、枕は病院用枕であってもよい。さらに他の実施形態では、一体化された励振器および枕が提供され得る。一体化された励振器および枕は、得られる振動が、ベッド、マットレスおよび患者の体形に実質的に依存しないことを可能にする。
【００８２】
ボード６１１は、様々な構成を有することができる。例えば、ボード６１１は、患者を頭尾軸に沿って揺動させるのを容易にするために湾曲６２０するように形成することができ、または、マットレス６１２の厚さおよび剛性に応じて、ボード６１１は、図１０Ｂに示すように、マットレス６１２に貫通する支点部またはキール６２１を備えることができ、患者の背中を揺動させて腹部にせん断波を発生させることを容易にする。
【００８３】
励振器１０２は、任意の適切な位置に配置することができる。例えば、（単数または複数の）励振器１０２は、患者の片側または両側（例えば、図１０Ａおよび図１０Ｂに示すように患者の左および右のうちの少なくとも一方の側）に配置されてもよい。（単数または複数の）励振器１０２は、（例えば図１０Ａのように）ボード６１１の上、（例えば図１０Ｂのように）ボード６１１の下、またはボード６１１の切り抜きの中（図示せず）に取り付けることができる。（単数または複数の）励振器１０２は、（例えば、図１０Ａのような）マットレスの上面の上に、または（例えば、図１０Ｂのように）マットレスの面の片側に対して取り付けることができる。
【００８４】
励振器ボード６１１は、患者の肝臓の下の加速度または速度または変位を定量化するために、加速度計などの追加のセンサを収容することができ、または、トランスデューサに取り付けられたターゲット６３０を追跡することによって超音波トランスデューサ１０１を位置特定するために使用されることが可能なカメラ６３１を収容することができる。
【００８５】
上述したように、使用される励振周波数は、それらの相対的な位相および振幅とともに、低変位ノードを除去すること、せん断波の方向が撮像面に平行であることを保証すること、および所与の関心領域での適切な全体的な変位を確実にすることのうちの少なくとも一つのために制御され得る。大部分の状況に対して最も信頼性の高い構成を生じさせるために、これらの基準のすべてを考慮に入れて、予め設定された励振信号を生成することができる。任意の所与の励振器に対して、予め設定された信号の異なる周波数の合計は、励振器の増幅器を飽和させるほどに高くすべきではない。
【００８６】
より小さい患者の場合、予め設定された信号は、より高い周波数を使用してもよく、その後、より大きな患者に使用されてもよい。より高い周波数は、組織内でより迅速に減衰し、観察の深さが浅いところで最も容易に使用され得る。より小さい患者に対する周波数の組の例は、５５Ｈｚ、６０Ｈｚおよび６５Ｈｚであり、これと比較して、より大きい患者に対する周波数の組の例は、４５Ｈｚ、５０Ｈｚおよび５５Ｈｚである。
【００８７】
励振器がトランスデューサから遠くにあるいくつかの実施形態では、励振器は、より低い周波数のセットおよびより大きな振幅の波のうちの少なくとも一方を使用することができる。肥満患者および接近した肋骨を有する患者にとっては、図４Ａおよび図４Ｂに示すように遠隔の回転中心が使用されて、トランスデューサが肋骨の間を効果的に狙うことが可能となる。
【００８８】
いくつかの実施形態では、超音波面内の組織変位およびせん断波長の測定結果のうちの少なくとも一方の品質評価値がリアルタイムで計算され、低変位ノードを排除すること、およびせん断波の方向および振幅を最適化することのうちの少なくとも一方のために励振信号を調整するために使用される。勾配法または他のタイプの探索を使用して、この最適化を実行することができる。このようにして、入力励振信号は、最も正確な結果を得るために制御ループを用いてリアルタイムで特定の患者に対して設定されることができる。
【００８９】
品質評価値の２つの例は、先に説明した信号対雑音比の測定結果のいずれかを含む。フェーザの大きさに対して最小および最大の閾値を設定することによって、さらなる品質評価値を確立することができる。測定されたフェーザの大きさが最小閾値を下回る場合、これはノードの存在を示すか、またはせん断波が組織の中に十分に深く侵入していないことを示し得る。さらに、非常に高い振幅は、組織が大きな歪みを受け、望ましくない非線形の応力ひずみ関係で動いている可能性があることを示し得る。別の品質評価値は、各点の周りに窓関数を適用し、次にデータを周波数領域に伝達し、予想される弾性範囲に対応する範囲内にあるはずの信号の空間周波数のコンタクトを見ることによって計算することができる。
【００９０】
さらなる品質評価値は、弾性を見出すために空間的にデータにフィットさせるために使用されるフィッティングモデルの誤差であってもよい。この適用に適したフィッティングモデルは、米国特許出願公開第２０１２／０００７７９号明細書に記載されている。例えば、モデルは、弾力性範囲の制約を伴う波動方程式のＦＥＭモデルであってもよい。良好な波のある領域が検出されたら、次の試みは、結像面で最小の波長を得るように波のパターンを制御することである。この方法の１つの実施形態では、操作者は、個々の励振器で作業し、予め設定された周波数および振幅ステップにわたって掃引して、ＲＯＩ内のいずれが良好な波を生成するかを見つけることができる。次に、操作者は、これらの周波数と振幅のうち、最小の弾性を生成するもののいずれかを選択することができる。
【００９１】
いくつかの実施形態では、超音波トランスデューサおよび１つまたは複数の励振器を同期させることができる。いくつかの実施形態では、トランスデューサと励振器の同期化は、励振器およびトランスデューサの内部クロックを使用して得られ得る。いくつかの実施形態では、励振器およびトランスデューサが共にトリガされて位相ロックされる。
【００９２】
いくつかの実施形態は、構造物およびソフトウェアのうちの少なくとも一方によって構成され、以下の１つまたは複数を行う方法を実行するハードウェアコントローラを提供する。
【００９３】
・せん断波の方向を最適化する（例えば、超音波撮像面に合わせる）。
・せん断波のフィールドを制御してノードを除去または移動させる。
・撮像タスクのためのせん断波の周波数を最適化する（例えば、撮像の深さと解像度の間の良好なバランスを得る）。
【００９４】
・特定の撮像アプリケーションのためにせん断波の振幅を最適化する。
コントローラは、これらの目的を達成するために駆動信号を１つまたは複数の励振器に供給するように接続されてもよい。駆動信号は、撮像システム（例えば、超音波撮像システム）および１つまたは複数の追加のセンサのうちの少なくとも一つを経由して受信されるフィードバックに応答して制御されてもよい。これは、励振器を制御するために品質評価値が使用される閉ループシステムであってもよい。１つまたは複数の追加のセンサの例は、患者の身体の１つまたは複数の点およびボードまたは他の患者接触面のうちの少なくとも一方に取り付けられた１つまたは複数の加速度計であり、それによって振動が患者の身体に伝達される。コントローラは、撮像システム（任意選択的にコントローラと一体化されている）からの画像を処理して画像を生成する。画像は、従来の画像（例えば、Ｂモード超音波画像）を含むことができる。コントローラは、エラストグラフィ画像を生成するように構成されることができる。エラストグラフィ画像は、撮像された組織が異なる色によって異なる機械的特性（例えば、剛性、ヤング率、および粘度のうちの少なくとも一つ）を有する領域を示すことができる。いくつかの実施形態は、Ｂモード画像およびエラストグラフィ画像を同時に表示することができる１つまたは複数のディスプレイを提供する。
【００９５】
例示的な実施形態では、コントローラは、複数の励振器１０２を駆動するように接続されている。コントローラは、対象ボリュームの画像をモニタしてせん断波の見かけ上の波長を決定することによって、撮像される組織の対象ボリュームにおけるせん断波の方向を最適化するように構成されている。これは、画像を処理して対象ボリュームの一連の画像内の特徴の位置を比較することによって行うことができる。複数の励振器１０２の異なる励振器に供給される複数の駆動信号の位相は、決定された見かけ上の波長が最小化されるまで、アルゴリズムまたは探索パターンに従って変化させることができる。一実施形態では、見かけ上の波長が測定され、位相が、トランスデューサの方向における平均検出変位（フェーザ振幅変動）を最大にするように調整され、これにより、せん断波測定の品質評価値が改善される。別の例では、トランスデューサの方向に沿った測定された平均せん断波波長がコスト関数として使用される。次いで、コスト関数を最小化するようにアレイの位相を調整することができる。他の方法の中でも最急降下法のような最適化アルゴリズムを使用して、トランスデューサの方向に沿ったせん断波波長を最小化することができる。
【００９６】
別の例示的な実施形態では、コントローラは、一連の画像（例えば、対象ボリュームの超音波画像）を処理して、１つまたは複数の励振器１０２からのせん断波の影響下にある非常に小さい組織変位の任意の領域を識別するように構成されている。そのような領域が見つかった場合、コントローラは、１つまたは複数の励振器１０２に供給されている駆動信号の周波数、位相、および振幅のうちの少なくとも一つを自動的に調整して、見込まれたノードがなくなるか、または別の場所に移動されるような駆動信号の周波数、位相、および振幅のうちの少なくとも一つの組が見出されたかどうかを判定する。
【００９７】
任意選択的に、このような調整は、条件を満たす領域に対してのみ行われる。コントローラは、組織変位が閾値よりも低い領域を識別し、領域がある閾値サイズよりも大きい場合、上記のような調整を実行することができる。
【００９８】
いくつかの実施形態では、コントローラは、駆動信号の２つ以上の異なる周波数、位相、および振幅のうちの少なくとも一つに対するデータのセットを取得し、駆動信号のこれらのセットのそれぞれを使用して取得された画像を処理して、対象エリアのエラストグラフィ画像データのセットを取得し、結果として得られたエラストグラフィ画像データのセットのそれぞれにおける位置の関数としてエラストグラフィ画像データの信頼性の評価を実行し（これは、例えば、測定された組織変位に基づき得る）、次いで、当該評価から得られた信頼性データを使用して、合成画像の各部分における最も信頼性の高いデータを使用して（および／または最も信頼性の低いエラストグラフィデータを除いて）、対象領域の複合エラストグラフィ画像の組み立てをガイドする。
【００９９】
一実施形態では、測定は２つ以上の励振周波数で行われ、測定の結果は（例えば、平均化または重み付け平均によって）統合される。さらなる実施形態では、複数の測定結果は、１つまたは複数の重みが１つまたは複数の品質評価値（例えば、本明細書に記載された品質評価値のいずれか）に基づく加重平均を使用して統合される。
【０１００】
励振パラメータの２つ以上のセットを使用してデータを取得する場合、励振パラメータの各セットを用いて得られたデータから計算された結果を統合するために使用された重みは、励振パラメータの各セットについて得られた結果の比較に基づいて決定されてもよい。結果が最も一貫性のあるデータセットに基づく結果は、他のデータセットに基づく結果よりも重く重み付けされてもよい。さらなる実施形態では、関心領域内の測定結果の変動性によって重み付けを決定することができる。これは、肝臓組織が、血管の近くや、横隔膜のような境界を除いて、ほとんど均質な弾性マップを有すると予想することができるので、肝臓組織を検査するのに有用であり得る。
【０１０１】
図１２は、本発明の例示的な実施形態による超音波撮像システムの動作を示す。励振パラメータ１２０２は、信号生成器１２０４Ａおよび信号生成器１２０４Ｂに供給される。信号生成器１２０４Ａおよび信号生成器１２０４Ｂはそれぞれ、励振器１０２Ａおよび励振器１０２Ｂをそれぞれ駆動するドライバ１２０６Ａおよびドライバ１２０６Ｂに信号を伝達する。信号生成器、ドライバおよび励振器の２つの組が示されているが、異なる実施形態では、それぞれの１つまたは２つ以上が存在してもよい。いくつかの実施形態では、励振器の数は、ドライバの数または信号生成器の数と異なっていてもよい。
【０１０２】
いくつかの実施形態では、信号生成器１２０４Ａおよび１２０６Ｂは、励振器を駆動するための周波数、位相または振幅のいずれか１つまたは複数を決定するためにドライバ１２０６Ａおよび１２０６Ｂによって使用され得るデジタル信号を生成するように構成される。ドライバ１２０６Ａおよびドライバ１２０６Ｂは、デジタル−アナログ変換器を備えてもよい。初期パラメータ１２０２は、励振器毎の振動の１つまたは複数の周波数、位相、振幅および方向のセットを含むことができる。
【０１０３】
励振器１０２Ａおよび励振器１０２Ｂは、患者の組織内にせん断波を生成する。せん断波によって生成された組織の動きは、トランスデューサ１０１によって観察される。トランスデューサ１０１は、超音波エコーデータを撮像システム１２０８に出力し、撮像システムはコントローラ１２１０に撮像システムデータを提供する。いくつかの実施形態では、撮像システム１２０８はコントローラ１２１０と一体化されている。コントローラ１２１０は、撮像システムからの画像を処理して弾性画像１２１２を生成するように構成されることができる。いくつかの実施形態では、弾性画像１２１２および超音波画像データのうちの少なくとも一方が、ユーザインタフェース１２１４上においてリアルタイムで生成される。
【０１０４】
コントローラ１２１０はまた、生成された弾性画像および弾性画像が基づくデータのうちの少なくとも一方に様々な品質評価値のいずれかを適用するように構成されてもよい。様々な状況において、コントローラ１２１０は、関心ボリュームの全部または一部の品質評価値を改善するために、信号生成器１２０４Ａおよび信号生成器１２０４Ｂに提供される励振パラメータ１２０２を修正するルーチンを実行することができる。
【０１０５】
図１３は、本発明の一実施形態による、図１２のコントローラ１２１０の動作のシステムを示す。励振器（図示せず）は、患者の組織に励振を印加する（１２２０）。トランスデューサ（図示せず）は、組織を撮像し（１２２２）、撮像システムデータ１２２４を生成する。コントローラ１２１０は、セクタごとに１つまたは複数の品質評価値を適用し（１２２６）、品質測定結果が許容可能かどうかを判定する（１２２８）。品質測定結果が許容できない場合、コントローラは励振パラメータを修正し（１２３０）、これらは励振器（図示せず）を駆動するために適用される。コントローラ１２１０が、画像の少なくとも１つのセクタのデータが信頼できることを品質評価値が示していると判定した場合、コントローラ１２１０は、信頼できるセクタデータを記録する（１２３２）。コントローラ１２１０が、信頼できるデータが関心ボリューム内のすべてのセクタについて得られたと判定した場合、コントローラ１２１０は、記録されたセクタデータから合成画像を組み立てる（１２３６）ことができる。すべてのセクタについて信頼できるデータが得られていない場合、コントローラは励振パラメータ１２３０をさらに修正することができる。
【０１０６】
組み立てられた合成画像は、弾性画像１２１２として出力され、弾性画像１２１２は、ユーザインターフェース（図１２参照）への表示のために格納または送信され、またはその両方が行われ得る。合成画像を組み立てること（１２３６）は、弾性データまたは超音波画像データに補正を適用して、励振パラメータの違いを解決することを含むことができる。例えば、セクタ間の励振周波数および振幅のうちの少なくとも一方の差から生じる計算された組織剛性の差異を解決するために、周波数補正および振幅補正のうちの少なくとも一方を適用することができる。いくつかの実施形態では、撮像システムデータ１２２４および弾性画像のうちの少なくとも一方は、リアルタイムでユーザインタフェースに送信されてもよい。セクタは、超音波画像内におけるラインのサブセット、または超音波画像のラインのサブセットのある深さ範囲、または別の適切な選択された関心領域を意味することができる。
【０１０７】
セクタデータを記録する場合、励振パラメータの複数のセットを用いて、一部または全部のセクタのデータを得ることができる（例えば、１つまたは複数のセクタのデータは、２つ、３つまたはそれ以上の異なる励振周波数を用いて得ることができる）。所与のセクタのためにデータの複数のセットが記録されている場合、コントローラ１２１０は、そのセクタのデータの全てのセット、またはデータセットのサブセットを使用することができる。いくつかの実施形態では、各セクタについて、そのセクタの画像データに対して最良の品質評価値を提供した励振パラメータに基づいて、データの単一のセットが選択される。所与のセクタに関するデータの複数のセットが使用される場合、コントローラ１２１０は、複数のデータセットのそれぞれに基づいて組織特性を任意に計算し、その結果を（例えば、平均化または加重平均によって）組み合わせることができる。
【０１０８】
いくつかの実施形態では、取得された超音波エコーデータに基づいて品質評価値をモニタしながら、励振器の振幅、周波数および位相の実用的な値の範囲にわたって測定が行われる。品質評価値は、リアルタイムで計算することができる。品質評価値は、品質評価値から決定された最良の結果をもたらす各励振器の振幅、周波数および位相のうちの少なくとも一つの最適なセットを判定するために処理されてもよい。いくつかの実施形態では、品質評価値の傾向が、次に試すべき振幅、周波数および位相のうちの少なくとも一つの選択をガイドするために使用される。次いで、励振パラメータの最適化されたセットを適用して、エラストグラフィ画像を生成するように処理されるデータを取得することができる。
【０１０９】
図１４は、図１２のコントローラ１２１０の動作のシステムを示す。一組の最適化されたパラメータが決定される。図１３のように、励振器（図示せず）は、患者の組織に励振を印加する（１２２０）。トランスデューサ（図示せず）は、組織を撮像し（１２２２）、撮像システムデータ１２２４を生成する。コントローラ１２１０は、セクタごとに１つまたは複数の品質評価値を計算し（１２２６）、品質評価値およびパラメータを記録する（１２４０）。
【０１１０】
次に、コントローラ１２１０は、パラメータのリストの全ての励振パラメータが実行されたかどうかをチェックする（１２４２）。リスト上のすべてのパラメータが実行されていない場合、コントローラは、リスト内の次のセットの励振パラメータを励振器１０２（図示せず）に送信する（１２４４）。リスト内のすべての励振パラメータが実行された場合、コントローラは、記録された品質評価値を使用して、最適化されたパラメータのセットを判定する（１２４６）。最適化されたパラメータは、励振器１０２に送られ（１２４８）、励振器１０２は、最適化されたパラメータを使用して励振を生成する（１２５０）。
【０１１１】
トランスデューサ１０１は組織から超音波エコーデータを取得して（１２５２）、撮像システムデータ１２５４を生成し、これはコントローラ１２１０によって処理され（１２５６）、弾性画像１２１２を生成する。いくつかの実施形態では、弾性画像および中間撮像システムデータは、継続的にユーザインタフェースに送信される（図１２参照）。
【０１１２】
パラメータのリストは、様々な患者のための実用的な値の範囲を含むようにプログラムされ得る。いくつかの実施形態では、コントローラは、異なるリストが異なるタイプの患者に対して最適化されたパラメータの複数のリストを有することができる。例えば、より大きな患者に対し最適化されたパラメータのリストが存在することができ、そのリストは、励振器に対する低周波数入力のより大きな範囲を含む。いくつかの実施形態では、患者は、最適化されたパラメータで測定が行われている間に固定されてもよい。患者を固定することは、測定が行われる一定期間、患者に息を止めるように求めることを含むことができる。
【０１１３】
最適化されたパラメータのセットを決定すること（１２４６）は、関心組織の領域内にノードを生成しないパラメータの１つまたは複数のセットを識別することを含むことができる。一実施形態では、最適化されたパラメータのセットを決定すること（１２４６）は、すべてのセクタにわたる最小品質評価値結果が、他のパラメータセットの全セクタにわたる最小品質評価値よりも高いパラメータのセットを識別することを含む。
【０１１４】
いくつかの実施形態は、撮像面をセクタに分割することを含む、組織を撮像するための方法を提供する。各セクタ内の組織の動きは、超音波エネルギーのパルスをセクタに繰り返し伝達し、セクタ内の構造から超音波エコー信号を受信することによってサンプリングされる。これは、励振周波数の少なくとも１／２サイクル、好ましくは少なくとも１サイクルの時間期間、実施され得る。例えば、撮像面のセクタは、１０から３０程度の時間的に離間した超音波パルスでピング（ｐｉｎｇ）されてもよい。これらのパルスから生じるエコー信号は、セクタ内の組織の動きを測定することを可能にする。いくつかの実施形態では、バンドパスサンプリングが、せん断波の動きを分析するために使用される。
【０１１５】
いくつかの実施形態では、コントローラ１２１０は、励振器１０２に取り付けられた加速度計からの信号を受信するように接続されている。このような信号は、励振器１０２の適切な動作を確認するため、または励振器１０２の駆動信号の周波数、位相および振幅のうちの少なくとも一方を制御するために、またはその両方のために使用されてもよい。そのような信号はまた、超音波トランスデューサ１０１における励振器１０２によって誘起される動きによって引き起こされる組織の動きの測定における誤差を補償するために適用されてもよい。
【０１１６】
本発明は、撮像モダリティとして超音波撮像を使用するエラストグラフィに限定されない。上に開示された本発明の態様は、ＭＲＩ撮像のような他の撮像様式での実施であってもよいし、代替として実施されてもよい。
【０１１７】
文脈上、明らかに別段の必要がない限り、明細書および特許請求の範囲を通じて、
・「備える」、「備えている」などの用語は、排他的または網羅的な意味ではなく包括的な意味で解釈されるべきであり、言い換えれば、「含むが、これに限定されない」という意味であり、
・「接続された」、「結合された」、またはそれらの任意の変形は、２つ以上の要素間の直接的または間接的な接続または結合を意味し、要素間の結合または接続は、物理的、論理的、またはそれらの組み合わせとすることができ、
・「本明細書」、「上の」、「下の」および類似の用語は、本明細書を記述するために使用される場合、本明細書を全体として参照するものとし、本明細書の特定の部分を参照とするものではなく、
・「または」は、２つ以上の項目のリストを参照して、リスト内の任意の項目、リスト内のすべての項目、およびリスト中の項目の任意の組み合わせの全ての解釈をカバーし、
・単数形は、任意の適切な複数形の意味をも含む。
【０１１８】
本明細書および添付の特許請求の範囲（存在する場合）で使用される「垂直」、「横」、「水平」、「上方」、「下方」、「前方」、「後方」、「内側」、「外側」、「鉛直」、「左」、「右」、「前」、「後」、「上」、「下」などの方向を示す語は、説明および図示された装置の特定の向きに依存する。本明細書に記載される主題は、様々な代替的な向きを想定することができる。したがって、これらの方向性の用語は厳密に定義されておらず、狭義に解釈されるべきではない。
【０１１９】
本発明の例示的な実施形態における制御システム（例えば、コントローラ１２１０）は、ソフトウェア（任意に「ファームウェア」を含み得る）の提供によって構成された特別に設計されたハードウェア、構成可能なハードウェア、プログラム可能なデータプロセッサのいずれか１つまたは任意の組み合わせを使用して実装されることができ、当該ソフトウェアは、本明細書で説明する方法で１つまたは複数のステップおよび／またはこれらの２つまたはそれ以上の組合せを実行するように特別にプログラム、構成、または構築されたデータプロセッサ、特殊用途コンピュータまたはデータプロセッサ上で実行可能である。特別に設計されたハードウェアの例は、論理回路、特定用途向け集積回路（ＡＳＩＣ）、大規模集積回路（ＬＳＩ）、超大規模集積回路（ＶＬＳＩ）などである。これらの技術のいずれも、例えば、超音波データを処理して組織の動きを判定し、判定された組織の動きを処理して組織特性を判定し、表示用の画像を生成し、外部振動器を制御して本明細書に記載されるような最適化を実行し、品質評価値を生成し、１つまたは複数の励振器を駆動するためのパラメータに対するフィードバック制御を実施することなどのための、本明細書に記載の機能を提供するように構成されることができる。
【０１２０】
構成可能なハードウェアの例は、プログラマブルアレイロジック（「ＰＡＬ」）、プログラマブルロジックアレイ（「ＰＬＡ」）、およびフィールドプログラマブルゲートアレイ（「ＦＰＧＡ」）などの１つまたは複数のプログラマブルロジックデバイスである。プログラム可能なデータプロセッサの例は、マイクロプロセッサ、デジタル信号プロセッサ（ＤＳＰ）、埋め込みプロセッサ、グラフィックスプロセッサ、数学コプロセッサ、汎用コンピュータ、サーバコンピュータ、クラウドコンピュータ、メインフレームコンピュータ、コンピュータワークステーションなどである。例えば、デバイスの制御回路内の１つまたは複数のデータプロセッサは、プロセッサにアクセス可能なプログラムメモリ内のソフトウェア命令を実行することによって、本明細書で説明する方法を実装することができる。
【０１２１】
処理は、集中化されていても分散されていてもよい。処理が分散される場合、ソフトウェアおよびデータの少なくとも一方を含む情報は、集中的にまたは分散されて保持され得る。そのような情報は、ローカルエリアネットワーク（ＬＡＮ）、ワイドエリアネットワーク（ＷＡＮ）、またはインターネットなどの通信ネットワーク、有線または無線データリンク、電磁気信号、または他のデータ通信チャネルによって、異なる機能ユニット間で交換することができる。
【０１２２】
プロセスまたはブロックが所定の順序で提示される場合、代替の例は、異なる順序で、ステップを有するルーチンを実行してもよいし、ブロックを有するシステムを使用してもよく、いくつかのプロセスまたはブロックは、代替またはサブコンビネーションを提供するために削除、移動、追加、再分割、結合、および／または修正されてもよい。さらに、要素は、順番に実行されているように示されているが、同時に、または異なる順序で実行されてもよい。これらのプロセスまたはブロックの各々は、様々な異なる方法で実施することができる。また、プロセスまたはブロックは時には順次実行されるように示されているが、これらのプロセスまたはブロックは代わりに並列に実行されてもよく、または異なる時間に実行されてもよい。
【０１２３】
本発明の特定の態様はまた、プログラム製品の形態で提供されてもよい。プログラム製品は、データプロセッサによって実行された場合にデータプロセッサに本発明の方法を実行させるコンピュータ可読命令のセットを保持する任意の非一時的媒体を含むことができる。本発明によるプログラム製品は、多種多様な形態のいずれであってもよい。プログラム製品は、例えば、フロッピー（登録商標）ディスク、ハードディスクドライブ、ＣＤ−ＲＯＭ、ＤＶＤを含む光学データ記憶媒体、ＲＯＭを含む電子データ記憶媒体、フラッシュＲＡＭ、ＥＰＲＯＭ、ハードワイヤードまたは予めプログラムされたチップ（例えば、ＥＥＰＲＯＭ半導体チップ）、ナノテクノロジーメモリなどであってもよい。プログラム製品上のコンピュータ可読信号は、任意選択で圧縮または暗号化されてもよい。
【０１２４】
いくつかの実施形態では、本発明はソフトウェアを使用して実装することができる。より明確にするために、「ソフトウェア」は、プロセッサ上で実行される任意の命令を含み、ファームウェア、常駐ソフトウェア、マイクロコードなどを含むことができる（しかしこれらに限定されない）。処理ハードウェアおよびソフトウェアの両方は、当業者に知られているように、全体的または部分的に集中化または分散（またはそれらの組み合わせ）することができる。例えば、ソフトウェアおよび他のモジュールは、ローカルメモリを介して、ネットワークを介して、分散コンピューティング環境内のブラウザまたは他のアプリケーションを介して、または上述の目的に適した他の手段を介してアクセス可能であってよい。
【０１２５】
（例えば、ソフトウェアモジュール、プロセッサ、アセンブリ、デバイス、回路などの）構成要素が上記に言及されている場合、他に示されない限り、その構成要素への参照（「手段」への参照を含む）は、本発明の図示された例示的な実施形態において機能を実行する開示された構造と構造的に等価ではない構成要素を含む、記載された構成要素の機能を実行する（すなわち、機能的に同等である）任意の構成要素の均等物として含むと解釈されるべきである。
【０１２６】
システム、方法および装置の特定の例は、説明の目的で本明細書に記載されている。これらは例にすぎない。本明細書で提供される技術は、上記の例示的なシステム以外のシステムに適用することができる。本発明の実施の範囲内において、多くの変更、修正、追加、省略、および置換が可能である。本発明は、記載された実施形態の変形例を含み、これらは、当業者には自明であるが、特徴、要素および／または動作を同等の特徴、要素および／または動作に置き換えること、異なる実施形態からの特徴、要素および／または動作を混合およびマッチングすること、要素および／または動作を、他の技術の特徴、要素、および／または行為と組み合わせること、および／または記載された実施形態から特徴、要素および／または動作を組み合わせることを省略することによって得られる変形を含む。
【０１２７】
したがって、以下の添付の特許請求の範囲および以後導入される特許請求の範囲は、合理的に推論できるそのような改変、置換、追加、省略および部分的な組合せの全てを含むと解釈されることが意図されている。特許請求の範囲は、実施例に記載された好ましい実施形態によって限定されるべきではなく、全体として説明と合致する最も広い解釈が与えられるべきである。
【図１】
2019519330.tif 000003
【図２】
2019519330.tif 000004
【図３Ａ】
2019519330.tif 000005
【図３Ｂ】
2019519330.tif 000006
【図４Ａ】
2019519330.tif 000007
【図４Ｂ】
2019519330.tif 000008
【図５Ａ】
2019519330.tif 000009
【図５Ｂ】
2019519330.tif 000010
【図６】
2019519330.tif 000011
【図７Ａ】
2019519330.tif 000012
【図７Ｂ】
2019519330.tif 000013
【図８Ａ】
2019519330.tif 000014
【図８Ｂ】
2019519330.tif 000015
【図９Ａ】
2019519330.tif 000016
【図９Ｂ】
2019519330.tif 000017
【図１０Ａ】
2019519330.tif 000018
【図１０Ｂ】
2019519330.tif 000019
【図１０Ｃ】
2019519330.tif 000020
【図１０Ｄ】
2019519330.tif 000021
【図１１】
2019519330.tif 000022
【図１２】
2019519330.tif 000023
【図１３】
2019519330.tif 000024
【図１４】
2019519330.tif 000025
【国際調査報告】
2019519330.tif 000026
2019519330.tif 000027
2019519330.tif 000028
2019519330.tif 000029